(57)【要約】【課題】汚染を生じさせにくく、信頼性良く点火し、安価に製造できる燃焼力作動型打込み機を提案する。【解決手段】固定素子を打ち込むための燃焼力作動型打込み機は、計量装置により計量可能な燃料のための燃焼室と、燃焼室の内部に配置された、燃料のための点火装置（２６）とを有する。点火装置（２６）は、燃料を点火するための抵抗素子（３６）を有している。【選択図】図２
2010105152.tif 000002
【特許請求の範囲】
【請求項１】
計量装置（２１）により計量可能な燃料のための燃焼室（１５）と、該燃焼室（１５）の内部に配置された、燃料のための点火装置（２６）とを有する固定素子を打ち込むための燃焼力作動型打込み機（１０）において、
前記点火装置（２６）が、燃料を点火するための抵抗素子（３６）を有していることを特徴とする打込み機。
【請求項２】
請求項１に記載の打込み機において、
前記抵抗素子（３６）が、弦巻状ワイヤとして形成されている打込み機。
【請求項３】
請求項１または２に記載の打込み機において、
前記抵抗素子（３６）が、Ｃｕ、Ｎｉ、Ｗ、Ｃｒ、Ｍｎ、Ｃ、Ｓｉよりなる群から選ばれた少なくともいずれか１種の金属を含む打込み機。
【請求項４】
請求項１から３までのいずれか一項に記載の打込み機において、
前記抵抗素子（３６）が、０．５〜１０Ｏｈｍ／ｍｍ２の電気抵抗を有している打込み機。
【請求項５】
請求項１から４までのいずれか一項に記載の打込み機において、
電子制御機構（２５）により生成された、前記点火装置（２６）のための点火電流が０．１〜５０アンペアである打込み機。
【発明の詳細な説明】
【技術分野】
【０００１】
本発明は、計量装置により計量可能な燃料のための燃焼室と、燃焼室の内部に配置された、燃料のための点火装置とを有する、固定素子を打ち込むための燃焼力作動型打込み機に関する。
【背景技術】
【０００２】
このような打込み機は燃焼室を有し、燃焼室内では、液状ガスまたは別の気化可能な燃料の一部が酸化媒体、例えば周辺空気により燃焼可能である。燃焼エネルギにより、ピストン案内部の内部を移動可能に案内された打込みピストンが駆動され、対象物に固定素子が打ち込まれる。
【０００３】
米国特許第６１２３２４１号明細書により、点火および燃料噴射を制御するための電子制御機構を有する燃料作動型打込み機が公知である。この打込み機は、例えば従来の火花点火プラグとして形成された点火装置を有している。
【０００４】
この解決手段では、一方では高圧を生成するための電子機構が高価であり、かつ製造に手間がかかること、他方では強い電磁波（ＥＭＶ）が生成され、この電磁波が電子制御機構に影響を及ぼし、打込み機の電気系のエラーまたは機能障害を引き起こす場合があることが欠点である。この場合、プロセッサ、Ｅ−ＰＲＯＭＳおよび／またはメモリは未定義状態にさらされる恐れがある。さらにメモリにおいては、メモリが上書きされたり、または消去される危険性が生じる。このような燃焼力作動型打込み機において頻繁な故障原因は、点火プラグの電極間の短絡である。このような短絡は、とりわけ燃焼残留物からの湿気によって形成される導電性の汚染層によって生じる。さらに燃焼ガスに潤滑剤として添加されているオイルが電極に堆積し、点火火花の生成を阻止するブリッジを形成する場合もある。
【先行技術文献】
【特許文献】
【０００５】
【特許文献１】米国特許第６１２３２４１号明細書
【発明の概要】
【発明が解決しようとする課題】
【０００６】
本発明の課題は、上記形式の燃焼力作動型打込み機において、上記欠点を回避し、汚染を生じさせにくく、信頼性良く点火し、安価に製造できるものを提案することである。
【課題を解決するための手段】
【０００７】
この課題は、本発明により、点火装置が燃料を点火するための抵抗素子を有している燃焼力作動型打込み機により解決される。抵抗素子は、例えば抵抗ワイヤまたは抵抗路として形成されており、打込み機の始動後に、例えばトリガスイッチ、電子制御機構を介して給電され、これにより、抵抗素子は加熱され、燃焼室内に含まれる、始動後約１０〜１００ｍｓは不活性の空気・燃焼ガス混合物を点火する。抵抗素子の温度は、少なくとも約５００℃に達する。点火装置の点火作用素子としての抵抗素子により、特に低価格で技術的に単純な電子制御機構を使用することができる。さらに点火時に電子機構のエラーをもたらす恐れのある電磁妨害（ＥＭＶ）は生じない。点火は、有利には残留オイルまたはその他の汚れが点火装置に堆積した場合であっても可能である。
【０００８】
有利には、抵抗素子は弦巻状ワイヤとして形成されており、これにより、高温のグローワイヤと点火すべきガス混合物との間には大きい接触面が提供されている。比較的長いワイヤを比較的小さい構成スペースに格納することができる。
【０００９】
さらに、抵抗素子はＣｕ、Ｎｉ、Ｗ、Ｃｒ、Ｍｎ、Ｃ、Ｓｉよりなる群から選ばれた少なくともいずれか１種の金属を含んでいると有利である。有利には、抵抗素子は１種以上の金属の合金からなっている。
【００１０】
抵抗素子が０．５〜１０Ｏｈｍ／ｍｍ２の電気抵抗を有していると有利である。
【００１１】
有利には、点火装置のために制御ユニットにより生成される点火電流は０．１〜５０アンペアである。
【発明の効果】
【００１２】
本発明の燃焼力作動型打込み機により、計量装置により計量可能な燃料のための燃焼室と、燃焼室の内部に配置された、燃料のための点火装置とを有する本発明による固定素子を打ち込むための燃焼力作動型打込み機において、従来技術における打込み機の電気系のエラーまたは機能障害、さらに燃焼残留物からの湿気によって形成される導電性の汚染層によって生じる点火プラグの電極間の短絡といった欠点を克服し、汚染を生じさせにくく、信頼性良く点火し、安価に製造できる打込み機が提案されるという効果が得られる。
【図面の簡単な説明】
【００１３】
【図１】本発明による燃焼力作動型打込み機の部分的な縦断面図である。
【図２】図１の部分ＩＩによる燃焼力作動型打込み機の詳細図である。
【発明を実施するための形態】
【００１４】
図１による手持ち式の燃焼力作動型打込み機１０は、全体に符号１１を付す単一または複数のハウジングを有し、ハウジング内には空気・燃料混合物により作動可能な駆動部１２が配置されている。駆動部１２を介して、固定素子、例えば釘、ピン等を被加工部材に打ち込むことができる。固定素子は、例えば打込み機１０の蓄え器に保管しておいてもよい。
【００１５】
駆動部には、とりわけ燃焼室１５および案内シリンダ１３が設けられており、案内シリンダ１３の内部には、打込みピストン１４が軸線方向に移動可能に配置されている。燃焼室１５は、図示の初期状態では、周方向には燃焼室スリーブ２８により、軸線方向の第１端部では打込みピストン１４および環状の燃焼室壁２９により、さらに第２端部ではシリンダヘッドとして形成された燃焼室後壁３０により制限されている。
【００１６】
燃焼室１５の内部に配置され、モータ１７により駆動可能な通風機１６が、閉じられた燃焼室１５の内部に空気・燃料混合物の乱流を発生させ、打込み工程実施後に開かれた燃焼室１５を外気により洗浄するために働く。モータ１７は燃焼室後壁３０に支承されており、燃焼室後壁３０は、軸線方向に移動可能な燃焼室スリーブ２８のためのカバーとして機能する。
【００１７】
打込み機１０のグリップ１８にはトリガスイッチ１９が配置されており、打込み機１０が被加工部材に圧着され、打込み機１０の開口部２７で切換手段２４が作動された場合に、トリガスイッチ１９により、燃焼室１５の内部に配置された点火装置２６が電子制御機構２５を介して始動可能である。このために点火装置２６は、ライン４１を介して電子制御機構２５に電気的に接続されている。図２に示すように、点火装置２６は弦巻状ワイヤとして形成された抵抗素子３６を有し、抵抗素子３６は、点火装置２６の第１電極３１と第２電極３２との間に配置されており、燃焼室内の空気・燃料混合物を点火するために、電子制御機構２５によって供給された点火電流により加熱可能である。抵抗素子３６は、０．５〜１０Ｏｈｍ／ｍｍ２の電気抵抗を有しており、Ｃｕ、Ｎｉ、Ｗ、Ｃｒ、Ｍｎ、Ｃ、Ｓｉよりなる群から選ばれた金属を含んでいる。電極３１，３２は、担体である絶縁体３３に埋め込まれている。
【００１８】
打込み機１０は、燃焼ガスまたは気化可能な液状燃料により作動することができ、これらは燃料リザーバ２０、例えば燃料容器に蓄えられる。燃料リザーバ２０は、燃料ライン２２を介して燃焼室１５の燃料入口２３に接続されている。燃料ライン２２の内部には、さらに計量装置２１、例えば計量弁が配置されており、計量装置２１により燃焼室１５への燃料供給の制御が行われる。
【００１９】
例えば点火装置およびモータ１７の電気消費部に電気エネルギを供給するために、さらに電気エネルギ源４０、例えばアキュムレータが提供されている。
【００２０】
点火装置２６および計量装置２１は、全体に符号２５を付す電子制御機構により電子的に制御されている。電子制御機構２５は、例えば様々な電気的な機器機能をデータ処理および制御するための１個以上のマイクロプロセッサを有し、電気的な供給ライン４４を介して電気エネルギ源４０に接続されている。電子制御機構２５によって点火装置２６のために生成される点火電流は、好ましくは０．１〜５０アンペアである。
【符号の説明】
【００２１】
１０  打込み機
１５  燃焼室
２１  計量装置
２５  電子制御機構
２６  点火装置
３６  抵抗素子
【図１】
2010105152.tif 000003
【図２】
2010105152.tif 000004